(57)【要約】【課題】浴槽の縁に置くだけで簡単に設置できると共に、手で取っ手部を掴んだ状態で安全に入浴でき、しかも全身浴と半身浴を自由に選択してゆったりと入浴できる入浴中の溺死防止具を提供するものである。【解決手段】板材の長手方向に沿った両端が、浴槽７の両縁７ａに載置される本体板部２と、この本体板部２の中間部の片側に形成されたＵ形状の首挿入溝３と、これと反対側の中間部に突設した取っ手部６とから構成され、本体板部２を浴槽７の前後の両縁７ａに載せ、首挿入溝３に首１０を挿入し、顎を本体板部２に載せて頭を支持し、両手で取っ手部６を掴んだ状態で入浴するものである。【選択図】  図４
0003190998.tif 000002
【実用新案登録請求の範囲】
【請求項１】
板材の長手方向に沿った両端が、浴槽の両縁に載置される本体板部と、この本体板部の中間部の片側に形成されたＵ形状の首挿入溝と、これと反対側の中間部に突設した取っ手部とからなることを特徴とする入浴中の溺死防止具。
【請求項２】
取っ手部が首挿入溝を形成した本体板部の表面と異なる高さに設けられていることを特徴とする請求項１記載の入浴中の溺死防止具。
【請求項３】
Ｕ形状の首挿入溝の周囲にクッション材が取付けられていることを特徴とする請求項１記載の入浴中の溺死防止具。
【考案の詳細な説明】
【技術分野】
【０００１】
本考案は、入浴中に眠ったり失神したりして溺死するのを防止する器具に関するものである。
【背景技術】
【０００２】
入浴中に溺死する人は交通事故で亡くなる人より多い。この原因としては入浴しながら居眠りをしたり、急激な血圧低下による失神や足を滑らせて転倒するなどが主な原因である。
【０００３】
このため従来より種々の溺死防止具が開発されている。その１つとして枕部と背もたれ部、脚置き部、肘かけ部を有し、軟質の発泡樹脂と浮き袋の組み合わせた浴槽内に浮いた状態で座る椅子（特許文献１）がある。しかしながらこの椅子は、浴槽内に浮いた状態で使用するので安定性が悪く回転する恐れがあり、また体重や身長に合わせて浮き袋の空気量を調整する必要があり、しかも湯に浸かる体の高さが一定なので、長時間入浴する半身浴と肩まで浸かる全身浴とを自由に選択できない問題がある。
【０００４】
また浴槽内を網状部で複数の領域に区画するとともに、網状部で区画され領域で身体の自由な移動を阻止すると共に、網状部を浴槽内に固定する固定手段とからなる浴槽用溺水防止装置（特許文献２）がある。しかしながら、この溺水防止装置は浴槽内を網状部で複数の領域に分割して、入浴スペースを狭くして体を押さえ付ける構造なので、ゆったりと脚を伸ばして入浴できない問題があった。
【先行技術文献】
【特許文献】
【０００５】
【特許文献１】特開２００３−１８０５４０号公報
【特許文献２】実用新案登録第３１８３３２６号公報
【考案の概要】
【考案が解決しようとする課題】
【０００６】
本考案は上記問題を改善し、浴槽の縁に置くだけで簡単に設置できると共に、手で取っ手部を掴んだ状態で安全に入浴でき、しかも全身浴と半身浴を自由に選択してゆったりと入浴できる入浴中の溺死防止具を提供するものである。
【課題を解決するための手段】
【０００７】
本考案の請求項１記載の入浴中の溺死防止具は、板材の長手方向に沿った両端が、浴槽の両縁に載置される本体板部と、この本体板部の中間部の片側に形成されたＵ形状の首挿入溝と、これと反対側の中間部に突設した取っ手部とからなることを特徴とするものである。
【０００８】
本考案の請求項２記載の入浴中の溺死防止具は、請求項１において、取っ手部が首挿入溝を形成した本体板部の表面と異なる高さに設けられていることを特徴とするものである。
【０００９】
本考案の請求項３記載の入浴中の溺死防止具は、請求項１において、Ｕ形状の首挿入溝の周囲にクッション材が取付けられていることを特徴とするものである。
【考案の効果】
【００１０】
本考案に係る請求項１記載の入浴中の溺死防止具によれば、溺死防止具の本体板部を浴槽の前後の両縁に載せ、浴槽に体を入れて湯に沈み、背中を長手方向に沿った内壁に当て、Ｕ形状の首挿入溝に首を挿入し、顎を本体板部に載せて頭を支持し、両手で取っ手部を掴んだ状態で入浴するので、入浴中に居眠りをしたり、急激な血圧低下により失神した場合でも、体は浴槽と溺死防止具とで前後から保持されているので湯に沈まず溺死を防止することができる。また半身浴する場合は溺死防止具を上下に反転させ、しゃがんだ状態で溺死防止具を手前に引いて本体板部の上に両腕を載せて両手で取っ手部を掴んだ状態でゆったりと入浴することができる。また浴槽の出入りに浴槽の床で滑っても溺死防止具につかまれるので転倒を防止することができる。
【００１１】
また請求項２記載の入浴中の溺死防止具によれば、取っ手部が首挿入溝を形成した本体板部の表面と異なる高さに形成されているので、全身浴や半身浴で溺死防止具を反転させても両手で取っ手部が掴み易い。
【００１２】
また請求項３記載の入浴中の溺死防止具によれば、Ｕ形状の首挿入溝の周囲にクッション材が取付けられているので、首を挿入した時の感触がソフトである。
【考案を実施するための最良の形態】
【００１３】
以下本考案の実施の一形態を図１ないし図５を参照して詳細に説明する。図において１は溺死防止具を示すもので、長方形状をなす木板を本体板部２とし、この中間部の片側にＵ形状の首挿入溝３が形成され、これと反対側の中間部の縁に、木板で形成された略三角形状の支持板４が平面方向に突設され、この支持板４の先端側に湾曲したプラスチック製のアーム５を突設し、この先端に本体板部２と平行に取っ手部６を取付けたものである。前記本体板部２の長さは、その両端が図４に示すように浴槽７の左右両縁７ａの上に載置される長さに形成されている。
【００１４】
上記構成の入浴中の溺死防止具１の使用方法は、図４に示すように溺死防止具１の本体板部２を浴槽７の前後の両縁７ａに載せる。次に浴槽７に体９を入れて湯８に沈み、背中を長手方向に沿った右側の内壁７ｂに当ててから、溺死防止具１を手前に引いてＵ形状の首挿入溝３に首１０を挿入し、顎を本体板部２に載せて頭１１を支持し、両手１２で取っ手部６を掴んだ状態でゆったりと入浴する。
【００１５】
このように全身を湯８に沈める全身浴をしている間に、居眠りをしたり、急激な血圧低下により失神した場合でも、体９は背中が浴槽７の右側の内壁７ｂに支えられ、溺死防止具１で前方から挟んだ状態となり、しかも頭１１は本体板部２の上で支持されているので、体９は湯８に沈まず溺死を防止することができる。
【００１６】
また半身浴する場合は、図５に示すように溺死防止具１を上下に反転させ、しゃがんだ状態で溺死防止具１を手前に引いて本体板部２の上に両腕を載せて両手１２で取っ手部６を掴んだ状態でゆったりと長い時間入浴する。
【００１７】
この半身浴をしている間に、居眠りをしたり、急激な血圧低下により失神した場合でも、体９は背中が浴槽７の右側の内壁７ｂに支えられ、溺死防止具１で体９を支えた状態となっているので、体９は湯８に沈まず溺死を防止することができる。
【００１８】
図６は本考案の他の実施の形態を示すもので、本体板部２に形成したＵ形状の首挿入溝３の内周と周縁にクッション材１３を取付けたものである。これは首１０をＵ形状の首挿入溝３に挿入して支えた時の感触がソフトになる。
【００１９】
なお上記説明では本体板部２や支持板４、取っ手部６を木材で形成した場合について説明したが、硬質のプラスチックで形成したものでも良い。また本体板部２と支持板４を別個に形成したものについて示したがプラスチックで一体に形成したものでも良い。
【図面の簡単な説明】
【００２０】
【図１】本考案の実施の一形態による溺死防止具を示す斜視図である。
【図２】図１の溺死防止具を示す平面図である。
【図３】図１の溺死防止具を示す縦断側面図である。
【図４】図１の溺死防止具を浴槽にセットして全身浴をしている状態を示す説明図である。
【図５】図１の溺死防止具を浴槽に反転してセットし、半身浴をしている状態を示す説明図である。
【図６】本考案の他の実施の形態による溺死防止具の平面図である。
【符号の説明】
【００２１】
１    溺死防止具                                            
２    本体板部                                              
３    首挿入溝                                              
４    支持板                                                
５    アーム                                                
６    取っ手部                                              
７    浴槽                                                  
７ａ  縁                                                    
７ｂ  内壁                                                  
８    湯                                                    
９    体                                                    
１０  首                                                    
１１  頭                                                    
１２  手                                                    
１３  クッション材                                          
【図１】
0003190998.tif 000003
【図２】
0003190998.tif 000004
【図３】
0003190998.tif 000005
【図４】
0003190998.tif 000006
【図５】
0003190998.tif 000007
【図６】
0003190998.tif 000008